(57)【要約】【課題】使用場所を選ばず、簡易な構成で移動やメンテナンス等の取扱いが容易且つ安全であり、ゴールの高さの位置の調整が容易に自在であると共にバックボードの着脱が容易に可能であり、更に安全性を備えたバスケットボールゴールを提供する。【解決手段】基台に設けた支柱受に円柱状であって外側面を螺刻した支柱を円の中心を回転軸として回転自在に設け、支柱に移動部材を螺合し、ゴールリングを設けたバックボードを支持部材を介して移動部材で支持し、移動部材の回転を防止する回転防止機構を備え、支柱を回転させて移動部材を上下方向に移動させてバックボードの高さを調節するバスケットボールゴール。【選択図】  図１
2006000386.tif 000002
【特許請求の範囲】
【請求項１】
回転自在に設けた支柱に移動部材を螺合し、ゴールリングを設けたバックボードを移動部材で支持し、移動部材の回転を防止する回転防止機構を備えることを特徴とするバスケットボールゴール。
【請求項２】
基台に設けた支柱受に円柱状であって外側面を螺刻した支柱を円の中心を軸として回転自在に設け、支柱に移動部材を螺合し、ゴールリングを設けたバックボードを支持部材を介して移動部材で支持し、移動部材の回転を防止する回転防止機構を備えることを特徴とするバスケットボールゴール。
【請求項３】
移動部材は筒状又は開放部を有する筒状又は環状又は開放部を有する環状であることを特徴とする請求項１又は２記載のバスケットボールゴール。
【請求項４】
支柱の回転を容易とするための回転補助機構を備えることを特徴とする請求項１乃至請求項３のうちいずれか１項に記載のバスケットボールゴール。
【請求項５】
回転補助機構は支柱端部に設けた軸受け及び／又は支柱に連結し、支柱を回転させる回転手段を備えて構成されていることを特徴とする請求項４記載のバスケットボールゴール。
【請求項６】
回転防止機構は、移動部材の外側面に設けた突起と、該突起を挟む２本の棒体で構成されることを特徴とする請求項１乃至請求項５のうちいずれか１項に記載のバスケットボールゴール。
【請求項７】
回転防止機構は、移動部材の外側面に設けた突起と、該突起を挿入する凹部を有する棒体で構成されることを特徴とする請求項１乃至請求項５のうちいずれか１項に記載のバスケットボールゴール。
【請求項８】
回転防止機構は、移動部材に支柱の長手方向に設けた溝又は孔と、該溝又は孔に挿入される棒体で構成されることを特徴とする請求項１乃至請求項５のうちいずれか１項に記載のバスケットボールゴール。
【請求項９】
回転防止機構は、支持部材を挟む２本の棒体で構成されていることを特徴とする請求項２乃至請求項５のうちいずれか１項に記載のバスケットボールゴール。
【請求項１０】
ゴールリングの高さ位置の変化を防止するための位置保持機構を設けることを特徴とする請求項１乃至請求項９のうちいずれか１項に記載のバスケットボールゴール。
【請求項１１】
バックボードは支持部材又は移動部材に着脱自在であることを特徴とする請求項１乃至請求項１０のうちいずれか１項に記載のバスケットボールゴール。
【請求項１２】
支柱の上端部に移動部材の上方への移動を規制するストッパーを設けたことを特徴とする請求項１乃至請求項１１のうちいずれか１項に記載のバスケットボールゴール。
【請求項１３】
支柱の上方に屋根を設けたことを特徴とする請求項１乃至請求項１２のうちいずれか１項に記載のバスケットボールゴール。
【請求項１４】
支柱を覆う被覆部材を設け、該被覆部材には長孔を設けると共に該長孔を塞ぎ且つ支持部材の突出をゆるすシール部材を設けることを特徴とする請求項２乃至請求項１３のうちいずれか１項に記載のバスケットボールゴール。
【発明の詳細な説明】
【技術分野】
【０００１】
本発明はバスケットボールゴールに関し、特に簡易な構成でバックボードの高さ調整及び取外しが容易なバスケットボールゴールに関する。
【背景技術】
【０００２】
従来からバスケットボールゴールは屋内の壁面にバックボードを固定したもの等が使用されているが、ゴールの移動が出来ず、ゴールの高さの調整も出来ない。又、移動式であって電動装置や油圧装置或いはこれらを用いない機械的構成を有し、基台に支柱及びアームを有する折畳式のバスケットボールゴールも使用されている（例えば、特許文献１参照。）。しかし、このような構成では、折畳み時に重心をひくくすることが可能であり転倒防止の効果は大きいが、構成が複雑であるために重量が重くなり移動等の取扱いが容易ではなく、高価であり、又、丁寧なメンテナンスが必要で維持コストが嵩むと共にその作業が煩雑であり、更には風雨に弱いため屋外での使用には適していないという欠点があった。
【０００３】
一方、屋外に設置する場合には土台に組まれたフレームにバックボードを固定したもの（特許文献２従来技術参照。）がよく使用されているが、他に移動台にボルト及びナットで固定して設けた支柱にバックボードを固定したもの（特許文献３参照。）、更にバックボードを取外し、位置調整可能に設けたもの（特許文献２参照。）等が使用されている。
【０００４】
しかし、土台に組まれたフレームにバックボードを取り付けたものはバックボードの取外しが出来ず、重く、面積のあるバックボードが上部に土台からせり出して設置されているため、不安定であり、特に強風時にはバックボードが風を受けて極めて不安定になり、倒れることがあり、安全上問題であった。このために土台を地面に埋め込んだり、土台に錘を置くことが行われているが、このような設置方法を採ると移動が出来なかったり出来てもその作業は煩雑で、安全性に問題があった。更に、バックボードの高さ即ちゴールの高さ調整が出来ず、練習のため或いは子供が使用する場合に適宜に高さ変更できず不便であった。
【０００５】
又、移動台にボルト及びナットで固定して設けた支柱にバックボードを取り付けたものはバックボードを取り付けた支柱が取り外しは可能ではあるが、その取り外し作業はスパナやレンチを必要とし煩雑であり、更にバックボードが上部に設けられ、かなりの重量があり、重心が先端にある支柱を取り外す作業は煩雑であり、安全性に問題があるので、使用の度に取付、取外しを行うことは事実上は不可能であり、前記と同様の問題点を有していた。更に、バックボードを取外し、位置調節可能に設けたものも同様な欠点を有すると共に、バックボードの位置調整は支柱を移動台から取外さなければ出来ず、バックボードが上部に設けられ、かなりの重量があり、重心が先端にある支柱を取り外す作業は煩雑であり、安全性に問題があるという欠点を有していた。
【０００６】
【特許文献１】特開平１０−８５３７４号公報
【特許文献２】実開平６−６１２６８号公報
【特許文献３】登録実用新案公報第３０２６６５６号公報
【発明の開示】
【発明が解決しようとする課題】
【０００７】
そこで、本願発明は使用場所を選ばず、簡易な構成で移動やメンテナンス等の取扱いが容易且つ安全であり、ゴールの高さの位置の調整が容易に自在であると共にバックボードの着脱が容易に可能であり、更に安全性を備えたバスケットボールゴールを提供することを目的とする。
【課題を解決するための手段】
【０００８】
上記課題を解決するためのバスケットボールゴールは、回転自在に設けた支柱に移動部材を螺合し、ゴールリングを設けたバックボードを移動部材で支持し、移動部材の回転を防止する回転防止機構を備えることを特徴とする。
【０００９】
又、基台に設けた支柱受に円柱状であって外側面を螺刻した支柱を円の中心を軸として回転自在に設け、支柱に移動部材を螺合し、ゴールリングを設けたバックボードを支持部材を介して移動部材で支持し、移動部材の回転を防止する回転防止機構を備えることを特徴とする。
【００１０】
更に、移動部材は筒状又は開放部を有する筒状又は環状又は開放部を有する環状であることを特徴とする。
【００１１】
更に、支柱の回転を容易とするための回転補助機構を備えることを特徴とする。
【００１２】
更に、回転補助機構は支柱端部に設けた軸受け及び／又は支柱に連結し、支柱を回転させる回転手段を備えて構成されていることを特徴とする。
【００１３】
更に、回転防止機構は、移動部材の外側面に設けた突起と、該突起を挟む２本の棒体で構成されること、又は移動部材の外側面に設けた突起と、該突起を挿入する凹部を有する棒体で構成されること、又は移動部材に支柱の長手方向に設けた溝又は孔と、該溝又は孔に挿入される棒体で構成されること、又は支持部材を挟む２本の棒体で構成されていることを特徴とする。
【００１４】
更に、ゴールリングの高さ位置の変化を防止するための位置保持機構を設けることを特徴とする。
【００１５】
更に、バックボードは支持部材又は移動部材に着脱自在であることを特徴とする。
【００１６】
更に支柱の上端部に移動部材の上方への移動を規制するストッパーを設けたことを特徴とする。
【００１７】
更に支柱の上方に屋根を設けたことを特徴とする。
【００１８】
更に、支柱を覆う被覆部材を設け、該被覆部材には長孔を設けると共に該長孔を塞ぎ且つ支持部材の突出をゆるすシール部材を設けることを特徴とする。
【発明の効果】
【００１９】
以上のような本願請求項１乃至３記載の発明によれば、バスケットボールゴールの使用場所を選ばず、簡易な構成で移動やメンテナンス等の取扱いが容易且つ安全であり、ゴールの高さの位置の調整が容易に自在となった。更に、安全性を備えたバスケットボールゴールを提供することが可能となった。
【００２０】
又、請求項４又は５記載の発明によれば、極めて容易且つ安全にゴールの高さの位置の調整が可能となった。
【００２１】
請求項６乃至９記載の発明によれば、簡易な部材で形成可能であり、メンテナンス等の取扱いが容易であり、廉価に製造できた。又、請求項１０記載の発明によれば、望まない使用中のゴールリングの高さ位置の変化を有効に防止することが出来た。
【００２２】
又、請求項１１記載の発明によれば、バックボードが下方へ移動可能であることとあいまって、バックボードの着脱が容易に可能であり、更に安全性を備えたバスケットボールゴールを提供することが出来た。
【００２３】
又、請求項１２記載の発明によれば、移動部材及びバックボードが支柱から外れて落下することがなく、安全性を備えることが出来た。又、ゴールリングの高さ位置を容易に設定することが出来た。
【００２４】
又、請求項１３又は１４記載の発明によれば、支柱の劣化を防止することが出来、屋外での使用によく耐えることが出来、長期間の使用が可能となった。
【発明を実施するための最良の形態】
【００２５】
以下本発明を図に従って詳細に説明する。バスケットボールゴール１（以下単にゴール１ということがある）は、基台１０、支柱２、移動部材３、ゴールリング６を設けたバックボード５、移動部材３の回転を防止する回転防止機構７を備えて構成されている。
【００２６】
基台１０は支柱２を立設し、ゴール１を設置面に安定的に設置するための台であり、その構成及び形状は特に限定されず、方形、長方形等の枠状や平板状等任意の構成とすることが出来る。基台１０にはキャスター１２，１２…を設け、ゴール１の移動を容易とすることは推奨される。更に、キャスター１２，１２…はジャッキ等と共に設ける等して昇降自在とし、ゴール１の設置時にはキャスター１２，１２…を上方に移動させて基台１０の底面を設置面に接触させて、基台１０を直接設置面に設置してゴール１の安定性を高め、移動時にはキャスター１２，１２…を下方に移動させて設置面に接触させると共に基台１０の底面を設置面から上方へ離隔させて、ゴール１の移動を容易とすることが望ましい。又、基台１０には支柱２を支持するための支柱受１９を設けている。支柱受１９は底部を有し、上部開口の円筒状であって、支柱２の直立を維持可能な高さを備えている。尚、基台１０にはゴール１に安定性を付与するために錘１００やアンカー等を設置することが望ましい。
【００２７】
支柱２は円柱状の柱体であって、支柱受１９に挿入しゴール１の接地面に垂直に設置され、その円の中心を軸として回転自在に支持され、その外側面は雄ねじ或いは雌ねじが螺刻されている。円柱状の柱体である支柱２は内部に空洞を有していてもいなくてもよい。支柱２は鉄、ステンレス、合成樹脂等適宜の強度、耐久性を有する材質で一体成形したもの或いはこれらの材質で心材を形成し、合成樹脂等を用い表面にねじ山が設けられた被覆部材を心材に被覆する等して形成することが出来る。支柱２の上端部適宜位置にはストッパー２２を設け、移動部材３の上方への移動を規制し、ゴールリング６を規定の高さに位置させる作業を容易とすることが好ましい。ストッパー２２は支柱２に打ち込んだピン、ボルト或いは支柱２から外方へ突出する固着されたフランジ等の他後述する屋根１３に設ける支柱受や軸受を利用してもよい。又、支柱２には適宜位置に適宜数の目盛２３，２３…を設け、移動部材３を任意の目盛２３に合わせることでゴールリング６を所望高さに位置させることを容易に可能とすることは推奨される。尚、支柱２の表面には移動部材３の移動を円滑にするためにその材質に適合したグリス等の潤滑剤を塗布することが望ましい。
【００２８】
移動部材３は支柱２を上下に移動して支持するバックボード５の高さ位置を上下に移動させる筒状体であって、内側面には支柱２のねじ山に対応する雌ねじ或いは雄ねじが螺刻されている。支柱２には２個の移動部材３，３が適宜間隔をあけて螺合されているが、１個又は適宜の間隔をあけて２個以上螺合し設置してもよい。又、移動部材３の形状は環状や開放部を有する、即ち横断面Ｃ字状の筒状又は環状としてもよい。
【００２９】
ゴールリング６を設けたバックボード５は支持部材４を介して移動部材３に着脱自在に、ゴール１の接地面と垂直に設置されている。バックボード５及びゴールリング６は公知のものを使用すればよいが、特にバックボード５はアルミニウムやポリカーボネート等の素材を用いた軽量のものの使用が望ましい。支持部材４は移動部材３毎に設け、その形状は特に限定されず、直線状や一端部が二股のＹ字状等の棒状体、板状体等を用い、移動部材３に溶接、ねじ止め等により固定するが、或いは移動部材３側の先端部にねじ山を螺刻して移動部材３に設けたねじ孔（図示せず）に螺入して着脱自在に設置することとしてもよい。支持部材４のバックボード側の先端は上方へ曲折し、係止片４１を形成している。尚、支持部材４は移動部材３の一部として一体成形することとしてもよい。
【００３０】
バックボード５の背面５１には係止片４１を挿入可能な空間５３を備える係止部材５２を係止片４１に対応させて設け、該空間５３に係止片４１を下方から挿入することにより係止片４１に係止部材５２を係止させ、バックボード５を支持部材４又は移動部材３に着脱自在に設置する。バックボード５の背面５１、係止片４１及び係止部材５２の夫々に孔（図示せず）を穿孔し、該孔にボルト５９を螺入してバックボード５の固定を確実にすることは望ましく、更にボルト５９の頭部は手で容易にボルト５９を回転することが可能なように合成樹脂等で把持可能な大きさ、形状に構成することは推奨される。
【００３１】
回転防止機構７は移動部材３の回転を防止する機構であり、支持部材４を挟み支柱２と同等の高さを有する２本の棒体７１，７１で構成されている。棒体７１，７１は平行に基台１０に植立させ、棒体７１，７１間は支持部材４の形状に対応させて、支持部材４との隙間を設けないように構成し、上部では棒体７１，７１間を結合し、棒体７１，７１間の広がりを防止している。
【００３２】
回転防止機構７は上記のような構成に限定されず、図６（ａ）に示すように、移動部材３の外側面、望ましくは支持部材４の反対側に突起３９を設け、該突起３９を挟む上記と同様に構成した２本の棒体７２，７２で構成することとしてもよく、図６（ｂ）に示すように、移動部材３の外側面、望ましくは支持部材４の反対側に突起３９を設け、該突起３９を挿入する凹部３８を有する棒体７３で構成することとしてもよい。
【００３３】
更に回転防止機構７は、図６（ｃ）に示すように移動部材３に支柱２の長手方向に設けた孔３６及び基台１０から植立させ孔３６に挿入される棒体７４で構成し、或いは図６（ｄ）に示すように移動部材３に支柱２の長手方向に設けた溝３４及び基台１０から植立させ溝３４に挿入される棒体７５で構成することとしてもよい。
【００３４】
又、支柱２は支柱２を把持して回転させることも可能であるが、ゴール１には支柱２の回転を容易とする回転補助機構８を設けることが望ましい。回転補助機構８は支柱２に連結し、支柱２を回転させる回転手段８１及び／又は支柱２端部に設けた軸受８２を備えて構成することが可能で、回転手段８１としては支柱２の下部に支柱２と同心円状に設けられた円盤状或いはドーナツ状のハンドル８１１の他、支柱２の下部に支柱２と同心円状に設けた歯車と、該歯車に係合し、回転操作用の取っ手を有する歯車、或いは支柱２から水平方向に突出させた棒状体、支柱２に設けた孔と該孔に挿脱可能な棒状体等を使用することが可能であり、軸受８２としては支柱受１９の底部に設置した平面座スラスト玉軸受、磁気軸受、いわゆる回転リングやターンテーブル等を使用することが可能である。
【００３５】
又、ゴール１には支柱２の回転を防止し、望まない支柱２の回転、ゴールリング６の高さ位置の変化を防止するための位置保持機構９を設けることは推奨される。位置保持機構９の具体的構成としては、支柱受１９の側面に設けた通孔９１及び支柱２にも設けた孔９２にピン９３を挿入して或いは支柱受１９の側面に設けた通孔にボルトを螺入して支柱２に当接させて支柱２の回転を防止する構成を採用することが出来る。孔９２は支柱２の同一高さの周囲に渡って適宜数設けることが望ましい。
【００３６】
又、ゴール１には支柱２の上方に屋根１３を設けることとしてもよい。屋根１３は支柱２の雨よけ、防錆のために用いられるもので、基台１０から植立した補助柱１１，１１や回転防止機構７で支持された合成樹脂、ステンレス、防水機能を有する各種シート等で構成する。支柱２の直立をより強固に維持させるために、補助柱１１，１１に又は屋根１３が鉄やステンレス等の一定の強度を有する材質で形成されている場合には、屋根１３の底面に支柱２の上部を挿入し支持するための支柱受１９と同様の支柱受（図示せず）を設けたり、軸受８２と同様の軸受１３１を設けることとしてもよい。又、基台１０及び屋根１３又は補助柱１１，１１には支柱受を設けずに、夫々に軸受のみを設ける構成としてもよい。
【００３７】
又、ゴール１には支柱２を覆う被覆部材１５を設け、支柱２の風雨による腐食等の劣化を防止することとしてもよい。被覆部材１５は図９（ａ）によく示すように耐劣化性のあるステンレスや合成樹脂等の薄い平板を曲折、湾曲等させて一体形成した開放部を有する筒状体であり、開放部は被覆部材１５の長手方向に支持部材４の挿通のための長い長孔１５５を構成している。又、該長孔１５５を塞ぎ且つ支持部材４の突出をゆるす切れ目を有するセルロイドや合成樹脂製の薄膜或いはブラシ状に植毛された毛を用いたシール部材１５６を設けることが出来る。被覆部材１５は図９（ｂ）に示すようにゴール１の組立形成後に設置可能なように長手方向に凹部を有する部材１５１，１５１をボルト及びナットを用いる等して結合して形成してもよい。回転手段８１が支柱２の下部に設けられている場合には被覆部材１５は回転防止機構７や補助柱１１或いは屋根１３等に支持させ、そうでない場合には基台１０に支持させて設置する。又、長孔１５５の縁部から突片１５７を突出させて被覆部材１５を回転防止機構７としても用い、別途上述のような回転防止機構７を設けないで構成することも可能である。
【００３８】
次にその使用方法を説明する。先ずゴール１を所望の位置に設置し、基台１０に錘１００を設置して、ゴール１が移動しないようにする。この時移動部材３，３は支柱２の下部に位置し、バックボード５は取り外されている。バックボード５を持ち上げて、支持部材４，４の係止片４１，４１…をバックボード５の背面５１に設けた係止部材５２，５２…の空間５３，５３…に下方から挿入し、係止片４１，４１…に係止部材５２，５２…を係止させると共に、バックボード５の背面５１、係止片４１，４１…及び係止部材５２，５２…の夫々に穿孔した孔にボルト５９，５９…を螺入してバックボード５を固定する。次いで、ハンドル８１１を回転させ、支柱２を回転させる。この時移動部材３，３も支柱２の回転と共に回転しようとするが、回転防止機構７により回転できず、支柱２及び移動部材３のねじ山に導かれて上方へ移動する。移動部材３を適宜の目盛３３に位置するまで、或いはストッパー２２に接触し移動が停止するまで上方へ移動させて、ゴールリング６を所望の高さへ位置させ、ゴールリング６の高さが変化しないように支柱受１９の側面に設けた通孔９１及び支柱２にも設けた孔９２にピン９３を挿入する。
【００３９】
このようにゴール１を設置してゴール１を使用した後に、支柱受１９の側面に設けた通孔９１及び支柱２にも設けた孔９２からピン９３を解除し、ハンドル８１１を移動部材３を上方へ移動させたときとは逆方向に回転させ、支柱２を回転させる。この時移動部材３，３も支柱２の回転と共に回転しようとするが、回転防止機構７により回転できず、支柱２及び移動部材３のねじ山に導かれて下方へ移動する。移動部材３をハンドル８１１に接触するまで或いは支柱２の下部適宜位置まで移動させ、ボルト５９，５９…を外し、バックボード５を持ち上げて、係止片４１，４１…と係止部材５２，５２…の係合を解除してバックボード５を取り外す。ゴール１は設置場所に位置させておいてもよく、錘１００を取外して所定の位置へ移動させてもよい。
【００４０】
上記実施の形態ではゴール１は基台１０を設けて設置位置の移動を可能に構成しているが、基台１０を設けずに、屋内或いは屋外のゴール１設置位置の設置面に円柱状の孔を設けて支柱受とし、更に回転防止機構７の棒体を挿入し立設させる為の孔を設けてゴール１を構成することとしてもよい。
【産業上の利用可能性】
【００４１】
本発明のバスケットボールゴールは、ゴールリングの高さ調整自在なバスケットボールゴールとして有用であり、特に移動式のバスケットボールゴールとして或いは風圧がかかる屋外で使用するバスケットボールゴールとして安全性に優れ適している。
【図面の簡単な説明】
【００４２】
【図１】本発明一実施例斜視図
【図２】本発明一実施例側面
【図３】本発明一実施例支柱下部部分拡大図
【図４】本発明一実施例移動部材部分拡大図
【図５】本発明一実施例部分横断面図
【図６】回転防止機構の複数の実施例を示す部分横断面図
【図７】本発明屋根付き実施例斜視図
【図８】本発明被覆部材を有する実施例側面図
【図９】被覆部材の複数の実施例を示す部分横断面図
【符号の説明】
【００４３】
１      バスケットボールゴール
１０    基台
１１    補助柱
１２    キャスター
１３    屋根
１５    被覆部材
１９    支柱受
２      支柱
２２    ストッパー
２３    目盛
３      移動部材
４      支持部材
４１    係止片
５      バックボード
５２    係止部材
６      ゴールリング
７      回転防止機構
７１    棒体
８      回転補助機構
８１    回転手段
８１１  ハンドル
８２    軸受
９      位置保持機構
１００  錘
【図１】
2006000386.tif 000003
【図２】
2006000386.tif 000004
【図３】
2006000386.tif 000005
【図４】
2006000386.tif 000006
【図５】
2006000386.tif 000007
【図６】
2006000386.tif 000008
【図７】
2006000386.tif 000009
【図８】
2006000386.tif 000010
【図９】
2006000386.tif 000011